(57)【要約】【課題】爪先（足指先）を好適に暖めて末端冷え症等を少しでも緩和することのできるタイツを提供する。【解決手段】タイツは、腹部および臀部を被覆するパンティー部と、脚を被覆するレッグ部とを備え、筒状に編成された１対の編地を用い、パンティー部に相当する部分に切れ目を入れて裁断縁どうしをつき合わせて股部を縫着して一体化される。爪先部５は、爪先部５を形成する爪先編地６０が、編糸６２で編まれた地組織で編成されるとともに、地組織に対してそれ自体で編目を編成しないインレイ糸６４が挿入されて編成され、または、地組織に対して地組織の特定の編目ごとに編目を形成するプレーティング糸が添え糸編みで編成され、爪先部５を形成する爪先編地６０が袋編みで編成され、袋編みの先端Ｓが縫着されて袋状に形成され着用者の爪先の先端を覆うように形成されている。【選択図】図３
2018138705.tif 000002
【特許請求の範囲】
【請求項１】
少なくとも爪先を覆う爪先部を備えた下半身用衣類であって、
前記爪先部を形成する編地が、編糸で編まれた地組織で編成されるとともに、前記地組織に対してそれ自体で編目を編成しないインレイ糸が挿入されて編成され、または、前記地組織に対して前記地組織の特定の編目ごとに編目を形成するプレーティング糸が添え糸編みで編成され、
前記爪先部を形成する編地が袋編みで編成され、前記袋編みの先端が縫着されて袋状に形成され着用者の爪先の先端を覆うように形成されている、下半身用衣類。
【発明の詳細な説明】
【技術分野】
【０００１】
本発明は、タイツまたはパンティーストッキングに代表される下半身用衣類（パンティーストッキング型およびレッグ型（パンティー部を備えずレッグ部のみ）のタイツまたはストッキング、ショートストッキング、靴下、フットカバー等の少なくとも爪先を覆う爪先部を備える下半身用衣類）に関し、特に、爪先（足指先）を好適に暖めて末端冷え症等を少しでも緩和することのできる下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うタイツおよびストッキングは、外出時における女性の脚部の保護および保温さらには脚線美の向上の観点等から、広く世間に浸透している。
現在市販されているほとんどのタイツおよびストッキングは、ナイロン糸、または、ナイロン糸とポリウレタン糸とで編まれている。使用している糸により、「交編」および「ゾッキ」の２種類に大別される。
【０００３】
交編タイプ（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。種類が異なる２種類の糸を使用するため（構造上どうしても）横縞模様が表れやすい。
ゾッキタイプ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編み組織が解編されたはしご状の線）が発生しにくいという特徴を備えたゾッキ編みが、最近では増えてきている。
【０００４】
このように２種類の編み方に大別されるものの、カバリング糸は伸縮性を有すること等から、ストッキングやタイツ等の編み糸として広く用いられている。ここで、タイツは専ら冬季に着用されて保温性を重視したものとなっており、タイツにはアクリルのバルキー糸１００％のもの、カバリング糸とナイロンフィラメント加工糸との交編タイプのもの、またはカバリング糸１００％のいわゆるゾッキタイプのものがあり、形状としてはパンティーストッキング型のものやレッグ型のものがある。本発明に係る下半身用衣類には、少なくとも爪先を覆う爪先部を備える下半身用衣類であって、パンティーストッキング型およびレッグ型のタイツまたはストッキングを始めとして、ショートストッキング、靴下、フットカバー等の爪先部を備える下半身用衣類を含む。
【０００５】
また、専ら冬季に着用されて保温性が重視されるタイツとは別の商品として、寒さや冷えから腹部を保護するものとして腹巻きがある。一般的に、腹巻きとタイツとは、別の商品として製造されて販売されている。そのため、従来、腹巻きを常用している人がタイツを着用する場合（またはその逆の場合）には、タイツのほかに腹巻きを着用する必要があり、これらの２つを着用することは不便であって、また、これらの２つが嵩張って不恰好であった。
【０００６】
このような背景に鑑み、タイツと腹巻きとの一体化が検討され、本出願人においても特開２０１３−１８５２７５号公報（特許文献１）に開示される腹巻きタイツを出願している。この腹巻きタイツは、パンティー部とレッグ部とを含むタイツであって、着用時において前記タイツの上端がみぞおち部付近までの長さを備えるように、前記パンティー部が伸張され、前記タイツの上端に、前記タイツの胴回り長さを調節するアジャスター部を設けたことを特徴とする。この腹巻きタイツによると、着用したときに腹部を好適に覆うことができるので、冷えから腹部を保護することができる。
【先行技術文献】
【特許文献】
【０００７】
【特許文献１】特開２０１３−１８５２７５号公報
【発明の概要】
【発明が解決しようとする課題】
【０００８】
上述した腹巻きタイツは、着用したときに腹部を好適に覆うことができて冷えから腹部を保護することができる点で好ましく、冬季の商品として好評を得ている。
一方、（女性に限定されるものではないが）冬季にタイツを主として着用する女性の中には、手指先または爪先（足指先）が氷のように冷えて辛い末端冷え性等に悩む場合も見受けられる。このような末端冷え性等は、身体は温まっているのに、手足（体の末端）だけが温まらずに冷えてしまう状態を一般的に指し、その対策が上述した特許文献１に開示された腹巻きタイツでは考慮されていない。
【０００９】
本発明は、従来技術の上述の問題点に鑑みて開発されたものであり、その目的とするところは、少なくとも爪先を覆う爪先部を備える下半身用衣類において、爪先（足指先）を好適に暖めて末端冷え症等を少しでも緩和することのできる下半身用衣類を提供することを目的とする。
【課題を解決するための手段】
【００１０】
上記目的を達成するため、本発明に係る下半身用衣類は以下の技術的手段を講じている。
すなわち、本発明に係る下半身用衣類は、少なくとも爪先を覆う爪先部を備えた下半身用衣類であって、前記爪先部を形成する編地が、編糸で編まれた地組織で編成されるとともに、前記地組織に対してそれ自体で編目を編成しないインレイ糸が挿入されて編成され、または、前記地組織に対して前記地組織の特定の編目ごとに編目を形成するプレーティング糸が添え糸編みで編成され、前記爪先部を形成する編地が袋編みで編成され、前記袋編みの先端が縫着されて袋状に形成され爪先の先端を覆うように形成されている。
【発明の効果】
【００１１】
本発明によれば、少なくとも爪先を覆う爪先部を備える下半身用衣類において、爪先（足指先）を好適に暖めて末端冷え症等を少しでも緩和することができる。
【図面の簡単な説明】
【００１２】
【図１】本発明の実施の形態に係るタイツの概略正面図である。
【図２】図１の爪先部の拡大図であって、（Ａ）はタイツの表面側（肌に当接しない側）の図であって、（Ｂ）はタイツを裏返した裏面側（肌に当接する側）の図である。
【図３】図２のタイツのＬ−Ｌ断面を模式的に示す図である。
【図４】図１のタイツの爪先部を形成する編み組織の一例の構成を模式的に示す図である。
【図５】図１のタイツの爪先部を形成する編み組織についての図４とは別の例の構成を説明するための図面代用写真である。
【図６】図５の編み組織を説明するための組織図である。
【発明を実施するための形態】
【００１３】
以下、本発明の実施の形態に係る下半身用衣類の一例であるタイツ１を、図１〜図６に基づき詳しく説明する。ここで、本発明に係る下半身用衣類は、タイツに限定されるものではなく、パンティーストッキング型およびレッグ型（パンティー部を備えずレッグ部のみ）のタイツまたはストッキング、ショートストッキング、靴下、フットカバー等であって、少なくとも爪先を覆う爪先部を備えた全ての下半身用衣類を含む。
【００１４】
図１に本実施の形態に係るタイツ１の概略正面図を、図２にタイツ１の爪先部５の拡大図を、図３にタイツ１におけるＬ−Ｌ断面を模式的に示す図を、図４にタイツ１の爪先部５を形成する編み組織の一例の構成を模式的に示す図を、それぞれ示す。なお、図２（Ａ）はタイツ１の表面側（肌に当接しない側）の図であって、図２（Ｂ）はタイツ１を裏返した裏面側（肌に当接する側）の図である。また、図５に図４に示す編み組織とは別の編み組織の構成を説明するための図を、図６に図５の編み組織を説明するための組織図をそれぞれ示す。
【００１５】
これらの図に示すように、このタイツ１は、通常のパンティーストッキング等の下半身用衣類と同じく（パンティー部を備えるという点で同じ）、腹部および臀部を被覆するパ
ンティー部３と、脚を被覆するレッグ部２とを備えるものである。このタイツ１は、筒状に編成された１対の編地を用い、パンティー部３に相当する部分に切れ目を入れて裁断縁どうしをつき合わせて股部４を縫着して一体化することにより製造される。パンティー部３の上端は、袋編みにされて、伸縮性が高く厚みがあるウエストバンド部を形成している。
【００１６】
また、レッグ部２の先端である爪先部５は、爪先部５を形成する爪先編地６０が、編糸６２で編まれた地組織で編成されるとともに、地組織に対してそれ自体で編目を編成しないインレイ糸６４が挿入されて編成され、爪先部５を形成する爪先編地６０が袋編みで編成され、袋編みの先端Ｓが縫着されて袋状に形成され爪先の先端を覆うように形成されている。また、このように地組織に対してそれ自体で編目を編成しないインレイ糸６４を挿入して編成する代わりに、地組織に対して地組織の特定の編目ごとに編目を形成するプレーティング糸１６４（より詳しくは後述するプレーティング糸１６４Ｂおよびプレーティング糸１６４Ｐ）が添え糸編みで編成されていても構わない。これらの特徴を、タイツ１の特徴部と記載する。このタイツ１の特徴部の詳細については後述する。
【００１７】
なお、本発明において、対象をタイツとしているが、部分的にその機能を備えた（少なくとも爪先を覆う爪先部を備えた）ショートストッキング、靴下等を含むことは上述した通りである。
本実施の形態に係るタイツ１を構成する編地は、後述するようにその爪先部５にタイツ１の特徴部を備える点以外は、一般的な編み糸および編地（交編タイプやゾッキタイプ）が採用されている。たとえば、カバリング糸（ＳＣＹやＤＣＹ）を用いて、編み組織の一例として平編ループを用いて、ゾッキ編みされた伸縮性平編地で構成される。なお、図３は、タイツ１の特徴部を説明するために爪先部５のＬ―Ｌ断面を模式的に表した図であるため、図３においては、編糸６２で編まれた地組織の厚みとインレイ糸６４の径およびインレイ糸６４の浮遊状態との比率は、現実のものと異なっている。さらに、図４は、模式的に編み組織を表した図であるため、図４においては、編糸６２の径および編糸６２で編まれた地組織のループの大きさとインレイ糸６４の径との比率は、現実のものと異なっている。
【００１８】
以下において、このタイツ１の特徴部（爪先部５の構成）について詳しく説明する。このタイツ１の特徴部は爪先部５の構成であって、大略的には、上述したように、足部の爪先部５は、爪先部５を形成する爪先編地６０が、図４に示すように編糸６２で編まれた地組織（ここでは理解を容易にするために地組織は平編みとしている）で編成されるとともに、編糸６２で編まれた地組織に対してそれ自体で編目を編成しないインレイ糸６４が挿入されて編成されている。
【００１９】
インレイ糸については、詳しくは、図４に示すように、編糸６２で編まれた地組織におけるインレイ糸６４は、地組織の編目のループに絡ませてかつ地組織の編目のつながり部に沿う方向と平行に編み込んでこれらループ間に挿入するタックイン（クロスインレイ）により編成される。
このように、編糸６２で編まれた地組織に対して編目を編成しないインレイ糸６４が挿入されて編成された爪先編地６０においては、インレイ糸６４は編糸６２と異なり編目（ループ）を編成しないので、編糸６２で編まれた地組織に対してインレイ糸６４が模式的には図３に示すように少しだけであるものの浮き上がって嵩高くなる（浮遊状態を構成するとも言える）。このため、このインレイ糸６４が挿入された地組織においては嵩高く厚みが増大するとともに、この増大した厚みの部分に空気層を形成することができる。このため、爪先を好適に暖めて末端冷え症等を少しでも緩和することができる。
【００２０】
さらに、爪先部５を形成する爪先編地６０は、袋編みで編成され、袋編みの先端Ｓが縫着されて袋状に形成され爪先の先端を覆うように形成されている。詳しくは、図３に示すように、ウエスト部を形成する袋編みと同じようにして爪先部５が袋編みされる。この時点で厚みは地組織の２倍の厚みの嵩高さを備えることになる。袋編みされた部分は袋編み終端部５４において元の生地と縫合されるとともに、着用者の爪先が飛び出ないように袋編みの先端Ｓが先端縫合部５２により縫着されて袋状に形成されてタイツ１の爪先先端が
形成される。その結果、先端縫合部５２の部分で爪先の先端が覆われるように形成されている。この時点で厚みは地組織の４倍の厚みの嵩高さを備えることになる。このため、この爪先部５においては嵩高く厚みが増大するとともに、この増大した厚みの部分に空気層を形成することができる。このようにして、上述したインレイ糸６４による嵩高さによる暖かさに加えて、地組織の４倍の厚みの嵩高さにより爪先を好適に暖めて末端冷え症等を少しでも緩和することができる。
【００２１】
本発明において重要であるのは、このタイツ１の特徴部（爪先部５の構成）は、単に袋編みされた（４重）構成であることではなく、この（４重）構成に加えて、編糸６２で編まれた地組織に対して挿入されたインレイ糸６４により嵩高性を発現することにより、爪先部５が着用者の爪先を好適に暖めることができる点である。
また、図４を参照して説明したように地組織に対してそれ自体で編目を編成しないインレイ糸６４を挿入して編成する代わりに、地組織に対して地組織の特定の編目ごとに編目を形成するプレーティング糸１６４（プレーティング糸１６４Ｂおよびプレーティング糸１６４Ｐ）が添え糸編みで編成されていても構わない。
【００２２】
プレーティング糸１６４については、詳しくは、図５および図６に示すように、編糸６２で編まれた地組織に対して地組織の特定の編目ごと（限定されるものではないがここでは（３編目飛ばしの）４編目ごと）に編目を形成して編成される。さらに詳しくは、限定されるものでないが、プレーティング糸１６４Ｂとプレーティング糸１６４Ｐとがプレーティング糸１６４として２本一緒に添え糸編みされる。プレーティング糸１６４として添え糸編みされるプレーティング糸１６４Ｂおよびプレーティング糸１６４Ｐは、４編目ごとに編目を形成する一方（図６におけるプレーン目）、３編目分は編目を編成しないで（図６におけるミス目）編地の裏側へ飛んで、編地の裏側にプレーティング糸１６４が出ることになる。上述したように、爪先部５を形成する爪先編地６０は袋編みで編成されるために、製品としてのタイツ１においては袋編みの内側にプレーティング糸１６４が出ることになるので、肌にプレーティング糸１６４が直接触れることはないのでタイツ１の履き心地を損なわない。
【００２３】
このように、編糸６２で編まれた地組織に対して４編目ごとに編目を形成するプレーティング糸１６４が添え糸編みされて編成された爪先編地１６０においては、プレーティング糸１６４は編糸６２と異なり４編目に一度しか編目（ループ）を編成しないので、編糸６２で編まれた地組織に対してプレーティング糸１６４が模式的には図３に示したインレイ糸６４と同じように少しだけであるものの浮き上がって嵩高くなる（浮遊状態を構成するとも言える）。このため、このプレーティング糸１６４が挿入された地組織においては嵩高く厚みが増大するとともに、この増大した厚みの部分に空気層を形成することができる。このため、爪先を好適に暖めて末端冷え症等を少しでも緩和することができる。
【００２４】
なお、プレーティング糸１６４による嵩高さによる暖かさに加えて、地組織の４倍の厚みの嵩高さにより爪先を好適に暖めて末端冷え症等を少しでも緩和することができる点については、上述したインレイ糸６４を用いた場合と同じであるので、ここでは詳細な説明を繰り返さない。
【００２５】
［実施例］
次に、本実施の形態に係るタイツ１の爪先部５を編成する編糸の具体的な実施例について、以下に列挙する。以下に示す実施例はゾッキ編みの場合であるが、本発明において交編編みを除外するものではない。
・地組織を編成する編糸６２（ＳＣＹ）
［芯糸：ポリウレタン弾性糸］
繊度：１５〜４５ｄｔｅｘ
フィラメント数：１〜３
［捲糸：ナイロン］
繊度：１０〜８０ｄｔｅｘ
フィラメント数：５〜１００
【００２６】
さらに、カバリング糸のカバリング状態については、以下の通りである。
ポリウレタン弾性糸のドラフト率が２．５〜４倍、かつ、ナイロン糸の（単位長さあたりの）撚り数が５００〜２５００Ｔ／ｍである。
・地組織に挿入されるインレイ糸６４
素材：ナイロン（ＷＮ：ウーリーナイロン）
繊度：１０〜１００ｄｔｅｘ
フィラメント数：５〜１０
・地組織に添え糸編みされるプレーティング糸１６４Ｂ、１６４Ｐ
プレーティング糸１６４Ｂ：地組織を編成する編糸６２（ＳＣＹ）と同じ
プレーティング糸１６４Ｐ：地組織に挿入されるインレイ糸６４（ＷＮ：ウーリーナイロン）と同じ
【００２７】
このような範囲であると、上述したように、（Ａ）上述したインレイ糸６４またはプレーティング糸１６４による嵩高さによる暖かさに加えて、（Ｂ）地組織の４倍の厚みの嵩高さにより、爪先を好適に暖めて末端冷え症等を緩和することができる。
以上のようにして、本実施の形態に係るタイツによると、レッグ部２の先端である爪先部５は、爪先部５を形成する爪先編地６０が、編糸６２で編まれた地組織で編成されるとともに、（１）地組織に対してそれ自体で編目を編成しないインレイ糸６４が挿入されて編成され、または、（２）地組織に対して地組織の特定の編目ごとに編目を形成するプレーティング糸１６４が添え糸編みで編成され、爪先部５を形成する爪先編地６０が袋編みで編成され、袋編みの先端Ｓが縫着されて袋状に形成され着用者の爪先の先端を覆うように形成されタイツ１の爪先先端から着用者の爪先が飛び出ないようになっている。これらにより、上述した（Ａ）および（Ｂ）を備え、着用者の爪先を好適に暖めて末端冷え症等を緩和することができるタイツを提供することができる。
【００２８】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２９】
本発明は、タイツまたはストッキングに代表される下半身用衣類に好適であり、少なくとも爪先を覆う爪先部を備える下半身用衣類において爪先（足指先）を好適に暖めて末端冷え症等を少しでも緩和することのできる下半身用衣類に特に好適である。
【符号の説明】
【００３０】
１  タイツ
２  レッグ部
３  パンティー部
４  股部
５  爪先部
５２  先端縫合部
５４  袋編み終端部
６０、１６０  爪先部を形成する編地（爪先編地）
６２  地組織を形成する編糸
６４  地組織に挿入されたインレイ糸
１６４  地組織に添え糸編みされたプレーティング糸
１６４Ｂ  地組織に添え糸編みされたプレーティング糸（ＳＣＹ）
１６４Ｐ  地組織に添え糸編みされたプレーティング糸（ＷＮ）
【図１】
2018138705.tif 000003
【図２】
2018138705.tif 000004
【図３】
2018138705.tif 000005
【図４】
2018138705.tif 000006
【図５】
2018138705.tif 000007
【図６】
2018138705.tif 000008